【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
第１の基板と第２の基板との間に配置された液晶層と、
前記第１の基板に第１の層として形成され、データラインが延伸する第１の方向に対して傾斜した第２の方向に延伸する一辺を有し、スイッチング素子を介して前記データラインに電気的に接続される第１の電極と、
前記第１の基板に前記第１の層とは異なる第２の層として形成され、前記第１の電極と重なる領域の少なくとも一部にスリットを有し、前記スリットの少なくとも一辺が前記第２の方向に延伸している第２の電極と、
を備えた液晶表示素子。
【請求項２】
前記スリットは、前記第１の電極における前記第２の方向に延伸する一辺に対して隣接している一辺が、前記第２の方向に延伸している、請求項１に記載の液晶表示素子。
【請求項３】
前記第１の電極は、前記第１の方向に対して直交する方向を軸として、前記第２の方向に線対称な、第３の方向に延伸する一辺を有し、
前記スリットは、前記第１の電極における前記第３の方向に延伸する一辺に対して隣接している一辺が、前記第３の方向に延伸している、請求項２に記載の液晶表示素子。
【請求項４】
前記第１の電極は、前記第２の方向に延伸する一辺と前記第３の方向に延伸する一辺とが連続するように形成され、
前記スリットは、前記第２の方向に延伸する一辺と前記第３の方向に延伸する一辺とが連続するように形成されている、請求項３に記載の液晶表示素子。
【請求項５】
前記第１の電極は、前記第１の方向を軸として、前記第２の方向に線対称な、第３の方向に延伸する一辺を有し、
前記スリットは、前記第１の電極の前記第３の方向に延伸する一辺に対して隣接している一辺が、前記第３の方向に延伸している、請求項１に記載の液晶表示素子。
【請求項６】
前記第１の電極は、前記第１の方向に対して前記第２の方向とは異なる角度で交差する第４の方向に延伸する一辺を有し、
前記スリットは、前記第１の電極の前記第４の方向に延伸する一辺に対して隣接している一辺が、前記第４の方向に延伸している、請求項１に記載の液晶表示素子。
【請求項７】
前記第１の電極は、前記第１の方向に対して直交する方向を軸として、前記第４の方向に線対称な、第５の方向に延伸する一辺を有し、
前記スリットは、前記第１の電極の前記第５の方向に延伸する一辺に対して隣接している一辺が、前記第５の方向に延伸している、請求項６に記載の液晶表示素子。
【請求項８】
前記第１の電極は、前記第２の方向に延伸する一辺と、前記第４の方向に延伸する一辺と、前記第５の方向に延伸する一辺とが、順に接続されるように形成され、
前記スリットは、前記第２の方向に延伸する一辺と、前記第４の方向に延伸する一辺と、前記第５の方向に延伸する一辺とが、順に接続されるように形成されている、請求項７に記載の液晶表示素子。
【請求項９】
前記第１の電極は、前記データラインに隣接する一辺が前記第２の方向に延伸している、請求項１から８のいずれかに記載の液晶表示素子。
【請求項１０】
前記第１の電極は、前記データラインに隣接する一辺に、前記第１の方向に延伸している領域と前記第２の方向に延伸している領域とを有している、請求項１から８のいずれかに記載の液晶表示素子。
【請求項１１】
前記第１の電極は、前記データラインと重ならないように配置されている、請求項１から１０のいずれかに記載の液晶表示素子。
【請求項１２】
前記第１の層と前記第２の層との間に第３の層として絶縁膜が形成され、
前記第１の電極と前記第２の電極とが互いに電気的に絶縁されている、請求項１から１１のいずれかに記載の液晶表示素子。
【請求項１３】
前記第２の層が前記第１の層よりも前記液晶層側に配置されている、請求項１から１２のいずれかに記載の液晶表示素子。
【請求項１４】
前記第２の電極は、前記スリットと同一な形状を有した他のスリットが、前記スリットに隣接するように形成されている、請求項１に記載の液晶表示素子。
【請求項１５】
第１の基板と第２の基板との間に配置された液晶層と、
前記第１の基板に第１の層として形成され、データラインが延伸する第１の方向に対して傾斜した第２の方向に延伸する一辺を有し、スイッチング素子を介して前記データラインに電気的に接続される画素電極と、
前記第１の基板に前記第１の層とは異なる第２の層として形成され、前記画素電極と重なる領域の少なくとも一部にスリットを有し、前記スリットの少なくとも一辺が前記第２の方向に延伸している共通電極と、
を備えた液晶表示素子。
【手続補正２】
【補正対象書類名】明細書
【補正対象項目名】０００５
【補正方法】変更
【補正の内容】
【０００５】
そこで、本発明は、画素電極とデータラインとの間の短絡が生じにくい液晶表示素子を提供することを目的とする。
【手続補正３】
【補正対象書類名】明細書
【補正対象項目名】０００６
【補正方法】変更
【補正の内容】
【０００６】
上記目的を達成するために、請求項１に記載の発明は、第１の基板と第２の基板との間に配置された液晶層と、前記第１の基板に第１の層として形成され、データラインが延伸する第１の方向に対して傾斜した第２の方向に延伸する一辺を有し、スイッチング素子を介して前記データラインに電気的に接続される第１の電極と、前記第１の基板に前記第１の層とは異なる第２の層として形成され、前記第１の電極と重なる領域の少なくとも一部にスリットを有し、前記スリットの少なくとも一辺が前記第２の方向に延伸している第２の電極と、を備えたことを特徴とする。
【手続補正４】
【補正対象書類名】明細書
【補正対象項目名】０００７
【補正方法】変更
【補正の内容】
【０００７】
請求項２に記載の発明は、請求項１に記載の液晶表示素子において、前記スリットは、前記第１の電極における前記第２の方向に延伸する一辺に対して隣接している一辺が、前記第２の方向に延伸していることを特徴とする。
【手続補正５】
【補正対象書類名】明細書
【補正対象項目名】０００８
【補正方法】変更
【補正の内容】
【０００８】
請求項３に記載の発明は、請求項２に記載の液晶表示素子において、前記第１の電極は、前記第１の方向に対して直交する方向を軸として、前記第２の方向に線対称な、第３の方向に延伸する一辺を有し、前記スリットは、前記第１の電極における前記第３の方向に延伸する一辺に対して隣接している一辺が、前記第３の方向に延伸していることを特徴とする。
【手続補正６】
【補正対象書類名】明細書
【補正対象項目名】０００９
【補正方法】変更
【補正の内容】
【０００９】
請求項４に記載の発明は、請求項３に記載の液晶表示素子において、前記第１の電極は、前記第２の方向に延伸する一辺と前記第３の方向に延伸する一辺とが連続するように形成され、前記スリットは、前記第２の方向に延伸する一辺と前記第３の方向に延伸する一辺とが連続するように形成されていることを特徴とする。
【手続補正７】
【補正対象書類名】明細書
【補正対象項目名】００１０
【補正方法】変更
【補正の内容】
【００１０】
請求項５に記載の発明は、請求項１に記載の液晶表示素子において、前記第１の電極は、前記第１の方向を軸として、前記第２の方向に線対称な、第３の方向に延伸する一辺を有し、前記スリットは、前記第１の電極の前記第３の方向に延伸する一辺に対して隣接している一辺が、前記第３の方向に延伸していることを特徴とする。
【手続補正８】
【補正対象書類名】明細書
【補正対象項目名】００１１
【補正方法】変更
【補正の内容】
【００１１】
請求項６に記載の発明は、請求項１に記載の液晶表示素子において、前記第１の電極は、前記第１の方向に対して前記第２の方向とは異なる角度で交差する第４の方向に延伸する一辺を有し、前記スリットは、前記第１の電極の前記第４の方向に延伸する一辺に対して隣接している一辺が、前記第４の方向に延伸していることを特徴とする。
請求項７に記載の発明は、請求項６に記載の液晶表示素子において、前記第１の電極は、前記第１の方向に対して直交する方向を軸として、前記第４の方向に線対称な、第５の方向に延伸する一辺を有し、前記スリットは、前記第１の電極の前記第５の方向に延伸する一辺に対して隣接している一辺が、前記第５の方向に延伸していることを特徴とする。
請求項８に記載の発明は、請求項７に記載の液晶表示素子において、前記第１の電極は、前記第２の方向に延伸する一辺と、前記第４の方向に延伸する一辺と、前記第５の方向に延伸する一辺とが、順に接続されるように形成され、前記スリットは、前記第２の方向に延伸する一辺と、前記第４の方向に延伸する一辺と、前記第５の方向に延伸する一辺とが、順に接続されるように形成されていることを特徴とする。
請求項９に記載の発明は、請求項１から８のいずれかに記載の液晶表示素子において、前記第１の電極は、前記データラインに隣接する一辺が前記第２の方向に延伸していることを特徴とする。
請求項１０に記載の発明は、請求項１から９のいずれかに記載の液晶表示素子において、前記第１の電極は、前記データラインに隣接する一辺に、前記第１の方向に延伸している領域と前記第２の方向に延伸している領域とを有していることを特徴とする。
請求項１１に記載の発明は、請求項１から１０のいずれかに記載の液晶表示素子において、前記第１の電極は、前記データラインと重ならないように配置されていることを特徴とする。
請求項１２に記載の発明は、請求項１から１１のいずれかに記載の液晶表示素子において、前記第１の層と前記第２の層との間に第３の層として絶縁膜が形成され、前記第１の電極と前記第２の電極とが互いに電気的に絶縁されていることを特徴とする。
請求項１３に記載の発明は、請求項１から１２のいずれかに記載の液晶表示素子において、前記第２の層が前記第１の層よりも前記液晶層側に配置されていることを特徴とする。
請求項１４に記載の発明は、請求項１から１３のいずれかに記載の液晶表示素子において、前記第２の電極は、前記スリットと同一な形状を有した他のスリットが、前記スリットに隣接するように形成されていることを特徴とする。
【手続補正９】
【補正対象書類名】明細書
【補正対象項目名】００１２
【補正方法】変更
【補正の内容】
【００１２】
請求項１５に記載の発明は、第１の基板と第２の基板との間に配置された液晶層と、前記第１の基板に第１の層として形成され、データラインが延伸する第１の方向に対して傾斜した第２の方向に延伸する一辺を有し、スイッチング素子を介して前記データラインに電気的に接続される画素電極と、前記第１の基板に前記第１の層とは異なる第２の層として形成され、前記画素電極と重なる領域の少なくとも一部にスリットを有し、前記スリットの少なくとも一辺が前記第２の方向に延伸している共通電極と、を備えたことを特徴とする。
【手続補正１０】
【補正対象書類名】明細書
【補正対象項目名】００１３
【補正方法】変更
【補正の内容】
【００１３】
本発明によれば、画素電極とデータラインとの間の短絡を生じにくくすることができる。